(57)【要約】【課題】運転者以外の者が、画像表示装置に表示される画像情報を容易に見ることができる車両用画像情報装置を提供する。【解決手段】本発明に係る車両用画像情報表示装置１は、画像情報を表示させるための表示画面１０を備える表示部６が、表示画面１０を立設させた状態で右側フロントピラー近傍から左側フロントピラー近傍まで円弧を描くようにしてインストルメントパネル２のフロントウインド３側端部に配設され、表示画面１０の表示光を透過させるフロントカバー５が、右側フロントピラー近傍から左側フロントピラー近傍まで延設されて表示部６の車室側に設置される。【選択図】  図３
2004243898.tif 000002
【特許請求の範囲】
【請求項１】
画像情報を表示させるための表示画面を備える表示部が、前記表示画面を立設させた状態で右側フロントピラー近傍から左側フロントピラー近傍まで円弧を描くようにしてインストルメントパネルのフロントウインド側端部に配設され、
前記表示画面の表示光を透過させるフロントカバーが、右側フロントピラー近傍から左側フロントピラー近傍まで延設されて前記表示部の車室側に設置されることを特徴とする車両用画像情報表示装置。
【請求項２】
画像情報を表示させるための表示画面を備える表示部と、前記表示画面の表示光を車室側に反射させる反射板とが、右側フロントピラー近傍から左側フロントピラー近傍まで円弧状を描くようにしてインストルメントパネルのフロントウインド側端部に配設され、
前記反射板に反射された前記表示画面の表示光を透過させるフロントカバーが、右側フロントピラーから左側フロントピラーまで延設されて前記反射板の車室側に設置されることを特徴とする車両用画像情報表示装置。
【請求項３】
前記反射板は、当該反射板の反射面に反射された前記表示光の照射方向を運転席方向と運転席以外の方向とに切り換えられるように傾動可能に設置されていることを特徴とする請求項２に記載の車両用画像情報表示装置。
【発明の詳細な説明】
【０００１】
【発明の属する技術分野】
画像情報を表示させるための表示画面を備える表示部と、表示画面の表示光を透過させるフロントカバーとを備えた車両用画像情報表示装置に関する。
【０００２】
【従来の技術】
一般的な車両において、速度計等の計器類はインストルメントパネルのハンドル設置箇所近傍に設けられている。
【０００３】
一方、近年ではカーナビゲーションシステム等の普及により運転者に提供する情報量が増加していること、及び、運転者の視線移動距離を短くして運転時の安全性を向上させることを目的として、計器類及びカーナビゲーション情報等をまとめて画像表示装置（車両用画像情報表示装置）に表示させ、この画像表示装置をインストルメントパネルの中央部に設置したセンターメーター構造の車両が多く製造されている。（例えば、特許文献１参照）。
【０００４】
【特許文献１】
特開平１１−２４０３５７号公報（第２頁
【００１１】、第１図の符号３）
【０００５】
【発明が解決しようとする課題】
しかしながら、インストルメントパネルの中央部に設置される画像表示装置は、運転者に画像情報を提供することを目的として設置されているので運転席側に傾けて設置される。このため、運転席以外に座る者は画像表示装置に表示される画像情報を通常の着座位置から見ることが困難であった。
【０００６】
特に、近年のカーナビゲーションシステムの機能向上により、画像表示装置の表示画面にカラオケの歌詞やテレビ画像やインターネット情報等を表示させることが可能となっている。このような機能を備えたカーナビゲーションシステムを助手席等に座る者が操作する場合、助手席等に座る者は設定画面を見ながら操作を行うことが困難であるという問題があった。
【０００７】
また、一般的な画像表示装置では、運転者が運転に集中できるように、車両走行中にテレビ画像が表示画面に表示されないように設定されている。このため、運転席以外の席に座る者も、車両走行中にはテレビ画像を見ることができないという問題があった。
【０００８】
本発明は、上記課題に鑑みて為されたものであり、運転者以外の者が、画像表示装置に表示される画像情報を容易に見ることができる車両用画像情報装置を提供することを課題とし、さらに、画像情報を運転席以外の席に座る者が容易に見ることができる車両用画像情報装置において、安全性を確保するために運転手に見せることが好ましくない画像情報を、運転席以外の席に座る者に見せることが可能な車両用画像情報装置を提供することを課題とする。
【０００９】
【課題を解決するための手段】
上記課題を解決するために請求項１に記載の発明は、画像情報を表示させるための表示画面を備える表示部が、前記表示画面を立設させた状態で右側フロントピラー近傍から左側フロントピラー近傍まで円弧を描くようにしてインストルメントパネルのフロントウインド側端部に配設され、前記表示画面の表示光を透過させるフロントカバーが、右側フロントピラー近傍から左側フロントピラー近傍まで延設されて前記表示部の車室側に設置される車両用画像情報表示装置であることを特徴とする。
【００１０】
請求項２に記載の発明は、画像情報を表示させるための表示画面を備える表示部と、前記表示画面の表示光を車室側に反射させる反射板とが、右側フロントピラー近傍から左側フロントピラー近傍まで円弧状を描くようにしてインストルメントパネルのフロントウインド側端部に配設され、前記反射板に反射された前記表示画面の表示光を透過させるフロントカバーが、右側フロントピラーから左側フロントピラーまで延設されて前記反射板の車室側に設置される車両用画像情報表示装置であることを特徴とする。
【００１１】
請求項３に記載の発明は、請求項２に記載の車両用画像情報表示装置において、  前記反射板が、当該反射板の反射面に反射された前記表示光の照射方向を運転席方向と運転席以外の方向とに切り換えられるように傾動可能に設置されていることを特徴とする。
【００１２】
【発明の実施の形態】
以下、本発明に係る画像表示装置（車両用画像情報表示装置）を、図面を用いて説明する。
【００１３】
［実施例１］
画像表示装置１は、図１に示すように、インストルメントパネル２のフロントウインド３側端部に上部をフード４に覆われた状態で設置されている。画像表示装置１は、左フロントビラー近傍から右フロントピラー近傍まで車幅方向に延びる円弧状形状を呈している。
【００１４】
速度メーターやカーナビゲーション画面等の画像情報は、フロントカバー５を介して表示される。
【００１５】
画像表示装置１は、図２に示すように、画像情報を表示する画像表示部（表示部）６と、警告灯を表示する警告表示部７と、画像表示部６及び警告表示部７を収納するハウジング８と、フロントカバー５とを備えている。
【００１６】
ハウジング８は、断面コ字状に形成された樹脂製の筐体であり、ハウジングの車室側側壁には、左フロントビラー近傍から右フロントピラー近傍まで車幅方向に延びる開口８ａが形成されている。開口８ａには、開口８ａに対応して車幅方向に延設された光透過性のフロントカバー５が設けられている。
【００１７】
フロントカバー５は、車両中心部が左右のフロントピラー近傍よりも突出した湾曲形状を呈している。フロントカバー５は開口８ａ全体を覆うものであれば、一体形成品であっても分割されたものであってもよい。
【００１８】
画像表示部６には、画像情報を出力するためのディスプレイ部１０が設けられている。ディスプレイ部１０には、タコメーター、スピードメーター、燃料計、水温計等の情報が画像情報として表示される。また、ディスプレイ部１０には、カーナビゲーション装置の地図情報や、テレビの映像情報等の画像情報を表示させることが可能となっている。画像表示部６は、開口８ａにセットされたフロントカバー５をディスプレイ部１０が臨むようにディスプレイ部１０を立設させて設置される。
【００１９】
警告表示部７は、ハウジング８内の画像表示部６上方に設置されている。警告表示部７には、半ドア警告灯や、シートベルト警告灯、燃料残量警告灯の警告灯が表示される。
【００２０】
画像表示部６は、ディスプレイ部１０に表示させる画像情報の種類に応じて複数台設置されており、図３に示すように、車幅方向に整列設置される。左右のフロントピラー近傍に設置される画像表示部６ａ、６ｂは、運転席に座る者だけで助手席に座る者及び後席に座る者もディスプレイ部１０に表示される画像情報を見ることができるように、車室中央側に傾けて設置される。
【００２１】
このように、左フロントビラー近傍から右フロントピラー近傍まで車幅方向に延びる円弧状形の画像表示装置１が、インストルメントパネル２のフロントウインド３側端部に設置されているので、運転者だけでなく、助手席及び後席に座る者も画像表示装置１に表示される画像情報を容易に見ることができる。
【００２２】
また、画像情報を表示させる画像表示部６が車幅方向に整列して設置されているので、従来の車両用表示装置のように、運転席近傍又はインストルメントパネル中央部だけに表画像示部が設けられるものよりも画像情報の表示範囲が広くなり、多くの画像情報を同時に表示させることができるとともに、画像表示装置１におけるパノラマ感を乗務員に対して演出することが可能となる。
【００２３】
［実施例２］
以下、実施例２に係る画像表示装置を、図４〜図６を用いて説明する。なお、実施例１と同一構成であって同一の機能を有する部分に関しては同一符号を附し、その説明を省略する。
【００２４】
実施例２に係る画像表示装置１’は、図１に示すように、インストルメントパネル２のフロントウインド３側端部に上部をフード４に覆われた状態で設置されており、左フロントビラー近傍から右フロントピラー近傍まで車幅方向に延びる円弧状形状を呈している。
【００２５】
画像表示装置１’は、図４に示すように、画像情報を表示する画像表示部６と、画像表示部６により表示される表示光を車室側に反射する反射部１２とを備えている。
【００２６】
画像表示部６は、画像情報を出力するためのディスプレイ部１０が上方を向くようにしてインストルメントパネル２内に収納されている。
【００２７】
反射部１２は、下面開口８ｂ及び車室側開口８ｃが形成されたハウジング８’と、車室側開口８ｃに設置されるフロントパネル５と、ハウジング８’内に設置される警告表示部７と、ディスプレイ部１０より出力される表示光を車室方向に反射させる反射板１３とを備えている。
【００２８】
下面開口８ｂには、無色透明の底面パネル１４が形成されており、反射部１２と画像表示部６とは、底面パネル１４とディスプレイ部１０とが対向する位置に設置される。
【００２９】
反射板１３は、下端部１３ａをハウジング８’の前端部に位置させ、その下端部１３ａを基点として上端部１３ｂを車室側に傾斜させるようにして設置される。図５は、画像表示部６と反射部１２の反射板１３とを模式的に示した斜視図である。画像表示部６と反射部１２とは一対となって車幅方向に整列設置されている。図５には、スピードメーター等が表示される走行情報表示用の画像表示部６ｃと、カーナビゲーション用の地図等が表示されるナビゲーション用の画像情報部６ｄと、テレビ放送が表示されるテレビ放送用の画像表示部６ｅとの三台の画像表示部が設置されている。左右のフロントピラー側近傍に設置されている画像表示部６ｃ、６ｅは、運転席に座る者だけでなく助手席に座る者及び後席に座る者も、ディスプレイ部１０に表示される画像情報を見ることができるように車室中央側に傾けて設置される。また、各画像表示部６ｃ、６ｄ、６ｅと対をなす反射部１２の反射板１３ｃ、１３ｄ、１３ｅは、各画像表示部６ｃ、６ｄ、６ｅの上方に位置するように設置される。
【００３０】
このように、左フロントビラー近傍から右フロントピラー近傍まで車幅方向に延びる円弧状形の画像表示装置１’が、インストルメントパネル２のフロントウインド３側端部に設置され、画像表示部６ｃ、６ｅが車室中央側に傾けて設置されているので、運転席に座る者だけでなく、助手席に座る者及び後席に座る者も画像表示装置１’に表示される画像情報を容易に見ることができる。
【００３１】
また、画像情報を表示させる画像表示部６が車幅方向に整列設置されているので、従来の車両用表示装置のように、運転席近傍又はインストルメントパネル中央部だけに表画像示部が設けられるものよりも画像情報の表示範囲が広くなり、多くの画像情報を同時に表示させることができるとともに、画像表示装置１’におけるパノラマ感を乗務員に対して演出することが可能となる。
【００３２】
このように構成された画像表示装置１’において、運転者が画像情報を見る場合、例えば画像表示部６ｅのディスプレイ部１０ｅに表示されるテレビ画像を見る場合には、運転者は、反射板１３ｄに反射されたディスプレイ部１０ｅの画像情報を見ることによって画像情報を取得する。ここで、画像表示部６ｃ、６ｄ、６ｅに対する傾斜角度・設置位置が常に一定となるように反射板１３ｃ、１３ｄ、１３ｅをハウジング８’に固定しても良いが、図６（ａ）（ｂ）に示すように、反射板１３を反射板１３の中心を通る垂線を回転軸Ｓとして回転させることにより運転席側、助手席側に設置角度を変更する構造としてもよい。
【００３３】
例えば、上述した反射板１３ｄを回動可能に設置することにより、走行中に反射板１３ｄの設置角度を変更させて、運転手にテレビ画像を見えないようにすることが可能となる。反射板１３ｄを回動させるために、画像表示装置１’に反射板１３ｄを回動させるための回転ダイヤル又は回転つまみ等を設けて回動させる構造としても良いし、車両走行時であってテレビ放送受信時に自動的に回転板１３ｄが回動される構造としても良い。
【００３４】
このように、安全性の観点から走行時に運転者に見せることが好ましくない画像情報を画像表示部６に表示させる場合、その画像情報を反射する反射板１３ｄの設置方向を変更することによって、運転者に画像情報を見せることなく、運転席以外の席に座る者がその画像情報を見ることが可能となる。
【００３５】
また、反射板１３ｄの裏面に薄型の他の画像表示部を設置することによって、反射板１３ｄの設置方向が変更された際には裏面に設置された画像表示部の画像情報が、運転者にだけ表示されるようにしても良い。さらに、反射板１３ｄの上方に、ディスプレイ部が反射板の裏面側を臨むようにして他の画像表示部を設置することによって、反射板１３ｄの設置方向が変更された際に他の画像表示部の画像情報が反射板１３ｄの裏面によって反射されて運転者に表示されるようにしても良い。
【００３６】
なお、反射板１３は必ずしも反射板１３の中心を通る垂線を回転軸Ｓとして回動させる必要はなく、運転者に見せることが好ましくない画像情報を運転者以外の者が見えるように反射光の照射位置を変更することが出来る構成であればどのような構造としても良い。
【００３７】
以上、実施例１及び実施例２において、図面を用いて本発明に係る車両用画像表示装置を説明したが、本発明は実施例１及び実施例２に記載される内容に限定されるものではない。
【００３８】
【発明の効果】
以上説明したように、請求項１又は請求項２に係る車両用画像情報表示装置を用いることによって、運転者だけでなく、助手席及び後席に座る者も表示部に表示される画像情報を容易に見ることができる。
【００３９】
また、表示部が右側フロントピラー近傍から左側フロントピラー近傍まで円弧を描くようにして配設され、フロントカバーが右側フロントピラー近傍から左側フロントピラー近傍まで延設されているので、従来の車両用画像情報表示装置よりも画像情報の表示範囲が広くなり、多くの画像情報を同時に表示させることができるとともに、画像情報表示装置におけるパノラマ感を乗務員に対して演出することが可能となる。
【００４０】
請求項３に係る車両用画像情報表示装置を用いることにより、安全性の観点から走行時に運転者に見せることが好ましくない画像情報を運転席に座る者に見せず、運転席以外に座る者に対して見えるようにすることが可能となる。
【図面の簡単な説明】
【図１】本発明に係る車両用画像情報表示装置を示した斜視図である。
【図２】実施例１に示した車両用画像情報表示装置を示した断面図である。
【図３】実施例１に示した車両用画像情報表示装置の画像表示部を模式的に示した斜視図である。
【図４】実施例２に示した車両用画像情報表示装置を示した断面図である。
【図５】実施例２に示した車両用画像情報表示装置の画像表示部と反射部とを模式的に示した斜視図である。
【図６】実施例２に示した車両用画像情報表示装置において反射板の回動状態を示した図であり。（ａ）は回動前の状態を示し、（ｂ）は回動後の状態を示したものである。
【符号の説明】
１、１’  画像表示装置（車両用画像情報表示装置）
２  インストルメントパネル
３  フロントウインド
４  フード
５  フロントカバー
６  画像表示部（表示部）
７  警告表示部
８  ハウジング
１０  ディスプレイ部（表示画面）
１２  反射部
１３、１３ｃ、１３ｄ、１３ｅ  反射板
【図１】
2004243898.tif 000003
【図２】
2004243898.tif 000004
【図３】
2004243898.tif 000005
【図４】
2004243898.tif 000006
【図５】
2004243898.tif 000007
【図６】
2004243898.tif 000008